(57)【要約】【課題】測定テープの引き出しや巻き戻しの際に発生する不快な音の発生を抑制できる巻尺を提供する。【解決手段】ドラム本体部３とドラム蓋４からなるドラムの中心部側に駆動バネ５が収納され、外側に測定テープ５が巻き取られる。ドラム蓋の中心部に逃げ孔４ｂが設けられ、嵌合軸２ｂとの間に空所が形成されている。この空所は径方向の幅が３〜１１ｍｍ程度である。測定テープの引き出しにより、駆動バネは、ドラム蓋が取り付けられる面の方向に移動するような力を受ける。しかし、駆動バネ５が逃げ孔に落ち込むことによって、駆動バネがドラム蓋の内面をたたくこともなく、不快な音の発生を抑えることができる。【選択図】　図３
2004069487.tif 000002
【特許請求の範囲】
【請求項１】
一方の底面に側壁が形成され、他方の底面が開放されて略円筒状に形成され、前記円筒体の周面が隔壁部となって、前記側壁が前記隔壁部の外側まで延長され、前記隔壁部の内側に駆動バネを収容し、前記隔壁部の外側に測定テープを巻き取るようにしたドラム本体部と、該ドラム本体部の前記他方の底面を覆うドラム蓋と、前記ドラム本体部と前記ドラム蓋の中心部に配置された軸部を有する巻尺において、前記ドラム蓋の中心部には逃げ孔が形成され、前記逃げ孔の内径は、前記軸部の外径よりも３〜１１ｍｍの範囲において大きくされて、前記逃げ孔の部分に空所が形成されていることを特徴とする巻尺。
【請求項２】
一方の底面に側壁が形成され、他方の底面が開放されて略円筒状に形成され、前記円筒体の周面が隔壁部となって、前記側壁が前記隔壁部の外側まで延長され、前記隔壁部の内側に駆動バネを収容し、前記隔壁部の外側に測定テープを巻き取るようにしたドラム本体部と、該ドラム本体部の前記他方の底面を覆うドラム蓋と、前記ドラム本体部と前記ドラム蓋の中心部に配置された軸部を有する巻尺において、前記ドラム蓋の中心部には逃げ孔が形成され、前記逃げ孔の内径は、前記測定テープの全長を引き出した状態において前記駆動バネが巻き締められる直径の０．５倍以上、かつ、１．２倍以下とされて、前記逃げ孔の部分に空所が形成されていることを特徴とする巻尺。
【請求項３】
一方の底面に側壁が形成され、他方の底面が開放されて略円筒状に形成され、前記円筒体の周面が隔壁部となって、前記側壁が前記隔壁部の外側まで延長され、前記隔壁部の内側に駆動バネを収容し、前記隔壁部の外側に測定テープを巻き取るようにしたドラム本体部と、該ドラム本体部の前記他方の底面を覆うドラム蓋と、前記ドラム本体部と前記ドラム蓋の中心部に配置された軸部を有する巻尺において、前記ドラム蓋の中心部には逃げ孔が形成され、前記逃げ孔の内径は、前記測定テープを２ｍ引き出した状態において、前記駆動バネが巻き締められることによりドラム蓋側に落ち込む部分が逃げ孔に落ち込むことができる以上の大きさであることを特徴とする巻尺。
【請求項４】
前記逃げ孔の周囲の内面にテーパー部が形成されていることを特徴とする請求項１ないし３のいずれか１項に記載の巻尺。
【請求項５】
請求項ドラム蓋の外側面の一定の半径上に段差が形成され、前記段差が軸受または支持軸として用いられることを特徴とする請求項１ないし４のいずれか１項に記載の巻尺。
【発明の詳細な説明】
【０００１】
【発明の属する技術分野】
本発明は、巻き取り用バネによりケース本体内に測定テープを巻き込むことができる自動巻の巻尺に関するものである。
【０００２】
【従来の技術】
従来、測定テープを用いて、長さや距離を計測することが行われている。測定テープは、手巻きや自動巻きの収納ケースに巻き取られるのが普通である。ケース本体から引き出した測定テープを自動的に巻き取る自動巻きの巻尺（コンベックス）の巻き取り部には、駆動バネにより巻き取り方向に蓄勢された巻き取りドラムが用いられている。自動巻きに用いられる測定テープは、鋼板、織布、プラスチック材などにより構成され、その断面形状が樋状であり、収納ケースから引き出された場合には、直線状になろうとする性質がある。
【０００３】
図６〜図９は、従来の自動巻きの巻尺を説明するためのもので、図６はケース蓋とドラム蓋を外した状態の平面図で、図６（Ａ）はドラム本体部を取り付けたケース本体部の平面図、図６（Ｂ）はドラム蓋の平面図、図６（Ｃ）はケース蓋の平面図、図７はケース蓋とドラム蓋の説明図で、図７（Ａ）はケース蓋を内側から見た図、図７（Ｂ）はドラム蓋の断面図、図７（Ｃ）はドラム蓋を図７（Ｂ）の左側から見た図、図７（Ｄ）はドラム蓋を図７（Ｂ）の右側から見た図、図８は測定テープの引き出し状態を説明するもので、図８（Ａ）は測定テープを引き出していない状態の断面図、図８（Ｂ）は図８（Ａ）のケース蓋とドラム蓋を外した状態の平面図で図６（Ａ）と同じ図、図８（Ｃ）は測定テープをほぼ全部を引き出した状態の断面図、図８（Ｄ）は図８（Ｃ）のケース蓋とドラム蓋を外した状態の平面図、図９は動作の説明図である。図中、１はケース本体部、１ａは固定軸、１ｂは支持軸、２はケース蓋、２ａは支持軸、３はドラム本体部、３ａは隔壁部、３ｂは軸受け穴、４はドラム蓋、４ａは軸受け穴、５は駆動バネ、６は測定テープ、７は固定ビスである。
【０００４】
まず、図６〜図８を参照して、構造の概略を説明する。ケース本体部１には、中央部に固定軸１ａと支持軸１ｂが一体的に設けられている。２はケース蓋で、支持軸２ａが一体的に形成されている。ケース本体部１とケース蓋２からなるケース内には、巻き取りドラムが収納されている。巻き取りドラムは、ドラム本体部３とドラム蓋４から構成されている。ドラム本体部３に巻き胴となる隔壁部３ａが形成され、隔壁部３ａの内側が駆動バネ収納部となって駆動バネ５が配設され、外側が測定テープ収納部となって測定テープ６が巻き取られる。
【０００５】
ドラム本体部３は、その中心部に形成された軸受け穴３ｂが、ケース本体部１の内壁に設けられたディスク状の支持軸１ｂに嵌められている。駆動バネ５は、その内端が固定軸１ａに固定され、駆動バネ５のほぼ全長が固定軸５の周囲に巻き回しされて、駆動バネの外端がドラム本体部３に固定されるとともに、測定テープ６に接続されている。ドラム本体部３にドラム蓋４が取り付けられ、ケース蓋２が固定ビス７で固定されて、巻尺が組み立てられる。ケース蓋２の取り付けによって、ドラム蓋４の中心部に形成された軸受け穴４ａがケース蓋２の内側に形成された支持軸２ａ（図７（Ｂ））に係合する。したがって、支持軸２ａは、ドラム蓋４の中心部に形成された軸受け穴４ａによってドラム本体部３を回転可能に支持するとともに、その中心部の形成された穴によって固定軸１ａの先端部を嵌合させている。
【０００６】
この巻き取りドラムに巻かれた測定テープ６を引き出すときには、図８（Ｃ），（Ｄ）に示すように、駆動バネ５が固定軸１ａの垂直方向に巻き締められ蓄勢される。その蓄勢力によって引き出した測定テープ６を自動的に巻き取ることができるのである。
【０００７】
測定テープ６を引き出すことで、巻き取りドラムが回転し、駆動バネ５が固定軸１ａに巻き締められて駆動バネ５が蓄勢されるとき、駆動バネ５は、固定軸１ａの水平方向に激しく振動しながら、固定軸１ａの垂直方向に巻き締められる。また、引き出した測定テープ６の固定を解除することで、駆動バネ５の蓄勢力が解放され、駆動バネ５が、隔壁部３ａの内側の駆動バネ収納部の外方、すなわち、隔壁部３ａの側に巻き開くことによって測定テープ６が自動的に巻き取られるときに、駆動バネ５は、固定軸１ａの水平方向に激しく振動しながら、固定軸１ａの垂直方向に巻き開かれる。
【０００８】
このような駆動バネ５の動きによって、駆動バネ５が、ケース蓋４の内壁に設けられたディスク状の支持軸２ａや、ドラム蓋４の軸受け穴４ａと干渉することで、使用者にとって不快な干渉音を発生させる。また、駆動バネ５が固定軸１ａの水平方向に激しく振動することで、ドラム蓋４の内壁をたたき、使用者に不快な音を発生させる。さらに、駆動バネ５が、支持軸２ａや、軸受け穴４ａに引っかかることで、スムーズな測定テープ６の出し入れができなくなるという問題もある。
【０００９】
図９により、上記の問題点について考察した状況をより詳しく説明する。図９（Ａ）は、図８（Ａ）において、ケース蓋２を外した状態を図示したものであり、この図における軸受け穴４ａの近傍を拡大した図が図９（Ｂ）である。ドラム蓋４の軸受け穴４ａに駆動バネ５の一部が落ち込んでいる様子が見られる。ケース本体部１とドラム本体部３において、固定軸１ａは僅かながら先細りの形状であり、断面図でみれば中心軸に対して傾斜しており、隔壁部４ａもドラム蓋４が取り付けられる部分が僅かに拡がる方向に形成され、断面図でみれば中心軸に対して傾斜している。図９（Ｂ）は、固定軸１ａと隔壁部４ａの傾斜を誇張して図示したものである。このように固定軸１ａと隔壁部４ａが、中心軸に平行でがなく、傾斜している理由は、合成樹脂材料を成型して作製されるケース本体部１およびドラム本体部３において、成型後の型抜きを良好にするためである。固定軸１ａの先細りの形状のために、固定軸１ａの近傍に巻き付けられる駆動バネ５は、図９（Ｂ）に示すように、ドラム蓋が取り付けられる面の方向、すなわち、固定軸１ａの基部側から先端側に向く方向に移動するような力を受ける。したがって、ケース蓋２を外した状態では、固定軸１ａの近傍の駆動バネ５は、ドラム蓋４の軸受け穴４ａに落ち込む。固定軸１ａに巻き締められる駆動バネ５の部分は、測定テープ６が引き出されいない状態では、図８（Ａ），図９（Ａ），（Ｂ）に示すように少し（２〜４巻き程度）であるが、測定テープ６が引き出されるにつれて、巻き締められる量は多くなり、ほぼ全部が引き出され状態では、図８（Ｃ）（Ｄ）に示すように、駆動バネ５の大部分が固定軸１ａの回りに巻き締められる。したがって、ドラム蓋４の軸受け穴４ａの部分では、測定テープ６の引き出しや、巻き戻しのときに、駆動バネ５が巻き締められたり、緩められたりして、駆動バネ５のドラム蓋４側の側端が、支持軸２ａや軸受け穴４ａの周部分に擦られて不快な干渉音を発生させる。また、駆動バネ５は固定軸１ａの水平方向にも激しく振動することで、ドラム蓋４の内壁や支持軸２ａの内面をたたき、この現象によっても、不快な音を発生させる。さらに、駆動バネ５が、支持軸２ａや、軸受け穴４ａ、特に、支持軸２ａと軸受け穴４ａとの隙間に引っかかることもあり、スムーズな測定テープ６の出し入れができなくなるという問題がある。このような問題の低減については改善が試みられているが、いまだ十分でないのが現状である。
【００１０】
【発明が解決しようとする課題】
本発明は、上述した事情に鑑みてなされたもので、測定テープの引き出しや巻き戻しの際に発生する不快な音の発生を抑制できる巻尺を提供することを目的とするものである。
【００１１】
【課題を解決するための手段】
本発明は、一方の底面に側壁が形成され、他方の底面が開放されて略円筒状に形成され、前記円筒体の周面が隔壁部となって、前記側壁が前記隔壁部の外側まで延長され、前記隔壁部の内側に駆動バネを収容し、前記隔壁部の外側に測定テープを巻き取るようにしたドラム本体部と、該ドラム本体部の前記他方の底面を覆うドラム蓋と、前記ドラム本体部と前記ドラム蓋の中心部に配置された軸部を有する巻尺において、前記ドラム蓋の中心部には逃げ孔が形成され、前記逃げ孔の内径は、前記軸部の外径よりも３〜１１ｍｍの範囲において大きくされて、前記逃げ孔の部分に空所が形成されていることを特徴とするものである。
【００１２】
また、本発明は、一方の底面に側壁が形成され、他方の底面が開放されて略円筒状に形成され、前記円筒体の周面が隔壁部となって、前記側壁が前記隔壁部の外側まで延長され、前記隔壁部の内側に駆動バネを収容し、前記隔壁部の外側に測定テープを巻き取るようにしたドラム本体部と、該ドラム本体部の前記他方の底面を覆うドラム蓋と、前記ドラム本体部と前記ドラム蓋の中心部に配置された軸部を有する巻尺において、前記ドラム蓋の中心部には逃げ孔が形成され、前記逃げ孔の内径は、前記測定テープの全長を引き出した状態において前記駆動バネ５巻き締められた直径の０．５倍以上とされて、前記逃げ孔の部分に空所が形成されていることを特徴とするものである。
【００１３】
また、本発明は、一方の底面に側壁が形成され、他方の底面が開放されて略円筒状に形成され、前記円筒体の周面が隔壁部となって、前記側壁が前記隔壁部の外側まで延長され、前記隔壁部の内側に駆動バネを収容し、前記隔壁部の外側に測定テープを巻き取るようにしたドラム本体部と、該ドラム本体部の前記他方の底面を覆うドラム蓋と、前記ドラム本体部と前記ドラム蓋の中心部に配置された軸部を有する巻尺において、前記ドラム蓋の中心部には逃げ孔が形成され、前記逃げ孔の内径は、前記測定テープを２ｍ引き出した状態において、前記駆動バネが巻き締められることによりドラム蓋側に落ち込む部分が逃げ孔に落ち込むことができる以上の大きさであることを特徴とするものである。
【００１４】
【発明の実施の形態】
図１〜図４は、本発明の自動巻きの巻尺の第１の実施の形態を説明するためのもので、図１はケース蓋とドラム蓋を外した状態の平面図で、図１（Ａ）はドラム本体部を取り付けたケース本体部の平面図、図１（Ｂ）はドラム蓋の平面図、図１（Ｃ）はケース蓋の平面図、図２はケース蓋とドラム蓋の説明図で、図２（Ａ）はケース蓋を内側から見た図、図２（Ｂ）はドラム蓋の断面図、図２（Ｃ）はドラム蓋を図２（Ｂ）の左側から見た図、図２（Ｄ）はドラム蓋を図２（Ｂ）の右側から見た図、図３は測定テープの引き出し状態を説明するもので、図３（Ａ）は測定テープを引き出していない状態の断面図、図３（Ｂ）は図３（Ａ）のケース蓋とドラム蓋を外した状態の平面図で図１（Ａ）と同じ図、図３（Ｃ）は測定テープをほぼ全部を引き出した状態の断面図、図３（Ｄ）は図３（Ｃ）のケース蓋とドラム蓋を外した状態の平面図、図４は動作の説明図である。図中、図６〜図９と同様の部分には同じ符号を付して説明を省略する。２ｂは嵌合軸、４ｂは逃げ孔である。
【００１５】
この実施の形態では、ドラム蓋４の中心部には、軸受け穴が形成されておらず、逃げ孔４ｂが形成されている。ケース蓋２の内面側には、ドラム蓋の中心穴を軸支する支持軸は設けられておらず、固定軸１ａを嵌合して受ける嵌合軸２ｂが形成されている。したがって、逃げ孔４ｂの部分は、組み立てた状態においても、空所となっている。嵌合軸２ｂは、固定軸１ａとケース蓋２との結合の役割を果たすとともに、固定軸１ａの補強の役割と、駆動バネ５の軸方向のずれを防止するために設けられたものであり、省略してもよい。嵌合軸２ｂの内径は、固定軸１ｃを嵌合させる大きさであり、外径は、固定軸１ａに２〜３巻き程度に駆動バネ５が巻き締められた程度の大きさである。したがって、軸部である嵌合軸２ｂの外周とドラム蓋４の逃げ孔４ｂの形成による内周との間には、十分な隙間が形成されている。この隙間は、径方向の幅が３〜１１ｍｍ程度である。この幅は、収納される測定テープ６の全長によって多少の違いはあるが、２．５〜１０ｍ程度の測定テープを収納した巻尺では、その幅は上記の範囲で十分である。ドラム蓋４の逃げ孔４ｂの周囲の内面は、テーパー部４ｃが形成されている。
【００１６】
この実施の形態における測定テープの出入による状況を図４により説明する。図４（Ａ）は、図３（Ａ）において、ケース蓋２を外した状態を図示したものであり、この図における逃げ孔４ｂの近傍を拡大した図が図４（Ｂ）である。ドラム蓋４の中心部に逃げ孔４ｂに駆動バネ５の一部が落ち込んでいる様子が見られる。ケース本体部１とドラム本体部３において、固定軸１ａは僅かながら先細りの形状であり、断面図でみれば中心軸に対して傾斜しており、隔壁部３ａもドラム蓋４が取り付けられる部分が僅かに拡がる方向に形成され、断面図でみれば中心軸に対して傾斜していることは、図９で説明したとおりであり、図４（Ｂ）は、固定軸１ａと隔壁部３ａの傾斜を誇張して図示したものである。固定軸１ａの先細りの形状のために、固定軸１ａの近傍に巻き付けられる駆動バネ５は、図４（Ｂ）に示すように、ドラム蓋が取り付けられる面の方向、すなわち、固定軸１ａの基部側から先端側に向く方向に移動するような力を受ける。測定テープ６の引き出しにつれて、駆動バネ５は、巻き締められ、ドラム蓋４の逃げ孔４ｂに落ち込む。駆動バネ５が逃げ孔４ｂに落ち込むことによって、駆動バネ５が逃げ孔４ｂの周部分に擦ることはなく、また、駆動バネ５のドラム蓋４側の側端がドラム蓋４の内面をたたくこともない。したがって、不快な音の発生を抑えることができる。また、嵌合軸２ｂと逃げ孔４ｂとの間には大きな幅のギャップがあるので、このギャップに駆動バネ５が引っかかることはなく、スムーズな測定テープ６の出し入れができる。引き出した測定テープ６を駆動バネ５の蓄勢力で巻き取る場合も同様であり、不快な音の発生を抑えることができる。
【００１７】
このように、駆動バネ５が巻き締められたり緩められたりする領域が、不快音の発生に大きな影響を与えることからいえば、測定テープ６の全長を引き出した状態、つまり、駆動バネ５が最大限巻き締められた状態において、巻き締められた直径に相当する大きさの逃げ孔４ｂが開けられていればよいということができる。しかし、実用上は、測定テープを２〜３ｍ程度引き出した状態の使用が多いことを考えれば、逃げ孔４ｂの直径は、測定テープ６の全長を引き出した状態において駆動バネ５が巻き締められた直径Ｄの０．５倍以上であれば、実用上は十分であるということができる。しかし、逃げ孔４ｂの直径が大きすぎると、巻き締め状態が安定しないことから、測定テープ６の全長を引き出した状態において駆動バネ５が巻き締められた直径Ｄの１．２倍以下、より好ましくは、０．８倍以下であればよいということができる。このようにした設計条件であっても、不快な音の発生を抑えることができる
【００１８】
また、巻尺において、頻繁に使用される長さが２ｍ程度であることを考慮すると、上記の隙間は、測定テープを２ｍ引き出した状態において、駆動バネ５が逃げ孔４ｂに落ち込むことができる以上の隙間であれば実用上は、不快な音の発生を抑えるにの十分であるということもできる。
【００１９】
また、ドラム蓋４の逃げ孔４ｂの周囲の内面にテーパー部４ｃを形成しておくと、測定テープ６の引き出しの際の駆動バネ５の逃げ孔４ｂへの落ち込み、および、測定テープ６を巻き込む際の駆動バネ５の逃げ孔４ｂからドラム内への戻りがスムーズに行なわれ、不快な音の発生をより抑えることができる。
【００２０】
図５は、本発明の自動巻きの巻尺の第２の実施の形態を説明するためのもので、図５（Ａ）はドラム本体部を取り付けたケース本体部の平面図、図５（Ｂ）はドラム蓋の平面図、図５（Ｃ）はケース蓋を内側から見た図、図５（Ｄ）はドラム蓋の断面図、図５（Ｅ）は測定テープを引き出していない状態の断面図である。図中、図１〜図４，図６〜図９と同様の部分には同じ符号を付して説明を省略する。２ｃは軸受、４ｄは支持軸である。
【００２１】
この実施の形態では、図１〜図４で説明した第１の実施の形態のドラム蓋４に支持軸４ｄを形成し、ケース蓋２の内面側に支持軸４ｄを支持する軸受２ｃを形成した点が第１の実施の形態と相違するだけである。したがって、図１〜４と同じに表れる図は省略した。ドラム蓋４の逃げ孔４ｂの外側に、全周にわたって段部を形成して支持軸４ｄとした。この支持軸４ｄの外側に摺動するように、ケース蓋２の内面に軸受２ｃを形成した。軸受２ｃも全周にわたるように形成した段部である。なお、支持軸４ｄと軸受２ｃの一方は、全周に連続させなくてもよく、断続的に形成されてもよい。また、支持軸４ｄの段部を内側、軸受２ｃの段部を外側としたが、その逆でもよい。さらに、段部とすることに限られるものではなく、一方を凸条として、他方を凸条に対応する凹溝や段部としてもよい。
【００２２】
この実施の形態では、ドラム蓋側も軸支されるので、ドラムの回転がより安定する利点がある。
【００２３】
【発明の効果】
以上の説明から明らかなように、本発明によれば、自動巻の巻尺において、測定テープの引き出しや巻き戻しの際に発生する不快な音の発生を抑制することができる。
【図面の簡単な説明】
【図１】本発明の自動巻きの巻尺の第１の実施の形態のケース蓋とドラム蓋を外した状態の平面図で、（Ａ）はドラム本体部を取り付けたケース本体部の平面図、（Ｂ）はドラム蓋の平面図、（Ｃ）はケース蓋の平面図である。
【図２】図１の巻尺のケース蓋とドラム蓋の説明図で、（Ａ）はケース蓋を内側から見た図、（Ｂ）はドラム蓋の断面図、（Ｃ）はドラム蓋を（Ｂ）の左側から見た図、（Ｄ）はドラム蓋を（Ｂ）の右側から見た図である。
【図３】図１の巻尺の測定テープの引き出し状態を説明するもので、（Ａ）は測定テープを引き出していない状態の断面図、（Ｂ）は（Ａ）のケース蓋とドラム蓋を外した状態の平面図、（Ｃ）は測定テープをほぼ全部を引き出した状態の断面図、（Ｄ）は（Ｃ）のケース蓋とドラム蓋を外した状態の平面図である。
【図４】図１の巻尺の動作の説明図である。
【図５】本発明の自動巻きの巻尺の第２の実施の形態を説明するためのもので、（Ａ）はドラム本体部を取り付けたケース本体部の平面図、（Ｂ）はドラム蓋の平面図、（Ｃ）はケース蓋を内側から見た図、（Ｄ）はドラム蓋の断面図、（Ｅ）は測定テープを引き出していない状態の断面図である。
【図６】従来の自動巻きの巻尺のケース蓋とドラム蓋を外した状態の平面図で、（Ａ）はドラム本体部を取り付けたケース本体部の平面図、（Ｂ）はドラム蓋の平面図、（Ｃ）はケース蓋の平面図である。
【図７】図６の巻尺のケース蓋とドラム蓋の説明図で、（Ａ）はケース蓋を内側から見た図、（Ｂ）はドラム蓋の断面図、（Ｃ）はドラム蓋を（Ｂ）の左側から見た図、（Ｄ）はドラム蓋を（Ｂ）の右側から見た図である。
【図８】図６の巻尺の測定テープの引き出し状態を説明するもので、（Ａ）は測定テープを引き出していない状態の断面図、（Ｂ）は（Ａ）のケース蓋とドラム蓋を外した状態の平面図、（Ｃ）は測定テープをほぼ全部を引き出した状態の断面図、（Ｄ）は（Ｃ）のケース蓋とドラム蓋を外した状態の平面図である。
【図９】図６の巻尺の動作の説明図である。
【符号の説明】、
１…ケース本体部、１ａ…固定軸、１ｂ…支持軸、２…ケース蓋、２ａ…支持軸、２ｂ…嵌合軸、２ｃ…軸受、３…ドラム本体部、３ａ…隔壁部、３ｂ…軸受け穴、４…ドラム蓋、４ａ…軸受け穴、４ｂ…逃げ孔、４ｃ…テーパー部、４ｄ…支持軸、５…駆動バネ、６…測定テープ、７…固定ビス。
【図１】
2004069487.tif 000003
【図２】
2004069487.tif 000004
【図３】
2004069487.tif 000005
【図４】
2004069487.tif 000006
【図５】
2004069487.tif 000007
【図６】
2004069487.tif 000008
【図７】
2004069487.tif 000009
【図８】
2004069487.tif 000010
【図９】
2004069487.tif 000011